(57)【要約】【課題】ペットの出入りを自在にすると共に、後ずさり時においても、ペットに挟み込みによる不快感や苦痛を与えることのないペット用扉の提供を課題とする。【解決手段】室内扉の本体下部に設けられた開口部に装着するペット用扉２において、扉本体２０を、開口部を略閉塞する寸法とすると共に、上辺を該開口部の上縁、つまり外枠１０の左右枠１３，１４上部に枢支させ、ペットの出入り方向に揺動自在とする。そして、扉本体２０を、上下方向の寸法が略均等になるように硬質材料でなる３つの扉部材２１〜２３に分割すると共に、各扉部材２１〜２３の各対向辺部において上下の扉部材２１〜２３を軟質材料でなる２つの連結部材２４，２４で屈伸自在に連結する。【選択図】　　図２
0003098249.tif 000002
【実用新案登録請求の範囲】
【請求項１】
建具等の下部に設けた開口部に装着され、該開口部を略閉塞する寸法とされると共に、上辺部が該開口部の上縁に枢支されてペットの出入り方向に揺動自在に支持された扉本体を有するペット用扉であって、上記扉本体は、上下方向に３つ以上に分割されてなる硬質の扉部材と、各扉部材の各対向辺部において上下の扉部材を屈伸自在に連結する軟質のシート部材でなる連結部材とで構成されていることを特徴とするペット用扉。
【請求項２】
扉本体は、各扉部材の上下方向の寸法が略均等になるように分割されていることを特徴とする請求項１に記載のペット用扉。
【請求項３】
連結部材は、上下の扉部材を隙間を設けて連結しており、扉部材は不透明材料でなると共に、連結部材は透明または半透明材料でなることを特徴とする請求項１または請求項２に記載のペット用扉。
【考案の詳細な説明】
【０００１】
【考案の属する技術分野】
本考案は、ペット用扉、詳しくは建具等に備えられてペットが出入り自在なペット用扉に関し、建具等の製造技術の分野に属する。
【０００２】
【従来の技術】
近年、小型犬や猫等のペットを室内で生活させる家庭が増えるにつれて、ペットにも人間と変わらず快適な生活を送らせる配慮が求められる傾向にある。そのような配慮の一例として、室内の扉に、該扉が閉じた状態でもペットが出入り可能にペット用扉が設けられることがある。その場合のペット用扉としては、例えば特許文献１に記載のものがある。
【０００３】
特許文献１に記載のペット用扉は、部屋のサッシ障子や扉等に設けられた開口部に配設されるもので、１枚の板状の扉本体が該開口部の上縁にペットの出入り方向に揺動自在に支持されている。これにより、ペットは、頭部でこの扉本体を押圧して進入することにより、出入りが自在である。
【０００４】
【特許文献１】
実開平６−５１４８６号公報（図１及び図６）
【０００５】
【考案が解決しようとする課題】
ところで、上記のようなペット用扉においてもなお、以下のような不具合が生じることがある。
【０００６】
すなわち、このようなペット用扉では、扉本体は、ペットの大きさに対して比較的小さなクリアランスを有する通路を提供するのが通例である。つまり、上記特許文献１に記載のような１枚の板状の扉本体の場合、図１１に示すように、小型犬等のペットＰは、頭部でペット用扉Ａの扉本体Ｂの比較的上部を押圧して矢印ａ方向に進入する。このとき、二点鎖線で示すように、扉本体Ｂは上部の支点Ｃを中心に矢印ｂ方向に揺動するから、ペットＰは容易に進入することができる。
【０００７】
一方、ペットＰが進入途中で矢印ａ′方向に後ずさりするときには、ペットＰの後頭部による押圧によって、扉本体Ｂが支点Ｃを中心に矢印ｂ′方向に揺動する。このとき、符号ｃで示すように、一点鎖線で示す揺動軌跡と二点鎖線で示すペットＰの背部とが重なることになり、扉本体Ｂの下辺部がペットＰの背部を圧迫する結果、ペットＰは扉本体Ｂと床との間に挟み込まれるようになる。したがって、ペットＰのこれ以上の後ずさり動作が阻害されて、ペットＰに不快感や苦痛を与える可能性がある。
【０００８】
また、扉本体Ｂは一般に剛性を有する１枚の板材で構成されているから、ペットＰの進入動作にスムーズに追従することにはならず、ペットＰに抵抗感を与える可能性がある。
【０００９】
そして、ペットＰの進入動作に良好に追従させるべく、扉本体を上下方向に２分割することが考えられる。その場合、図１２に示すように、ペットＰが頭部でペット用扉Ｄの屈伸自在に連結された２つの扉部材Ｅ１，Ｅ２でなる扉本体Ｅの比較的上部を押圧して矢印ａ方向に進入する。このとき、二点鎖線で示すように、上方の扉部材Ｅ１が上部の支点Ｆを中心に矢印ｄ方向に揺動すると共に、下方の扉部材Ｅ２が例えば図例のように上方の扉部材Ｅ１に対して折れ曲がるように移動するから、扉本体ＥはペットＰの動作に良好に追従するようになり、ペットＰは抵抗感なく進入することができる。
【００１０】
ところが、図１３に示すように、ペットＰが進入途中で矢印ａ′方向に後ずさりするときには、ペットＰの後頭部による押圧によって、上方の扉部材Ｅ１が上部の支点Ｆを中心に矢印ｄ′方向に揺動する。このとき、符号ｅで示すように、一点鎖線で示す揺動軌跡と二点鎖線で示す後ずさりするペットＰの背部とが重なることがあり、該扉部材Ｅ１の下辺部がペットＰの背部を圧迫する結果、ペットＰは扉本体Ｅと床との間に挟み込まれるようになる。したがって、この場合にも、ペットＰのこれ以上の後ずさり動作が阻害されて、ペットＰに不快感や苦痛を与える可能性がある。
【００１１】
さらに、扉本体Ｅが２つの扉部材Ｅ１，Ｅ２で構成されていると、両扉部材Ｅ１，Ｅ２が矢印ｆで示すように死点状態となる確率が高く、この場合には前述した図１１における１枚の板材でなる扉本体Ｂと何ら変わらぬ作用を示し、扉本体Ｅが、後ずさりするペットＰの背部を圧迫するようになる。
【００１２】
そこで、本考案は、以上の現状に鑑み、ペットの出入りを自在にすると共に、後ずさり時においても、ペットに挟み込みによる不快感や苦痛を与えることのないペット用扉の提供を課題とする。
【００１３】
【課題を解決するための手段】
上記課題を解決するため、本考案は次のように構成したことを特徴とする。
【００１４】
まず、請求項１に記載の考案は、建具等の下部に設けた開口部に装着され、該開口部を略閉塞する寸法とされると共に、上辺部が該開口部の上縁に枢支されてペットの出入り方向に揺動自在に支持された扉本体を有するペット用扉に関するもので、上記扉本体は、上下方向に３つ以上に分割されてなる硬質の扉部材と、各扉部材の各対向辺部において上下の扉部材を屈伸自在に連結する軟質のシート部材でなる連結部材とで構成されていることを特徴とする。
【００１５】
この考案によれば、扉本体を、３つ以上の扉部材を軟質の連結部材で連結した多関節構造としたことにより各扉部材の移動の自由度が増し、ペットの出入り動作に対して扉本体は容易に変形して追従性が良好となり、ペットの出入りがスムーズになる。
【００１６】
また、正面視でペット用扉の大半を占めることになる扉部材が硬質材料でなるから、建具等の持つ材質感と良好に調和し、人間に違和感を与えることがないというメリットがある。
【００１７】
そして、前述した問題点を有する扉本体が１つもしくは２つの扉部材で構成された従来のペット用扉に対し、この考案によれば、扉本体を構成する扉部材は３つ以上に分割されているから、扉部材の揺動軌跡が小さくなり、かつ、扉部材が死点状態となる確率が例えば扉本体を２つに分割した場合に比較して低くなり、かつ、関節がさらに増えたことにより扉部材の移動の自由度が大きくなるため、ペットが進入途中に後ずさりする場合において、扉部材がペットの背部を圧迫することが効果的に回避されるようになる。したがって、ペットに挟み込みによる不快感や苦痛を与えることはない。
【００１８】
次に、請求項２に記載の考案は、上記請求項１に記載のペット用扉において、扉本体は、各扉部材の上下方向の寸法が略均等になるように分割されていることを特徴とする。
【００１９】
この考案によれば、各扉部材が略均等な寸法とされているから、各扉部材はスムーズに変形して、ペットの出入り動作に対する扉本体の追従性がより良好となる。
【００２０】
そして、３つ以上に分割されていても、上下方向の寸法の大きい扉部材を含む扉本体であれば、この扉部材の大きな揺動軌跡ないし移動軌跡がネックとなって、ペットが進入途中に後ずさりする場合において、扉部材がペットの背部を圧迫することが考えられる。
【００２１】
それに対し、この考案によれば、各扉部材が略均等な寸法とされているから、各扉部材の上下方向の寸法を比較的小さく収めることができ、上記懸念が解消される。
【００２２】
また、請求項３に記載の考案は、上記請求項１または請求項２に記載のペット用扉において、連結部材は、上下の扉部材を隙間を設けて連結しており、扉部材は不透明材料でなると共に、連結部材は透明または半透明材料でなることを特徴とする。
【００２３】
建具等に装着する関係上、人間にとり、ペット用扉はいたずらに透光することのない構成である方が好ましいことがある。一方、ペット側から見ると、ペット用扉に臨んで前方に何ら明かりが見えない構成は不安である。
【００２４】
それに対し、この考案によれば、扉本体の大半を占めることになる扉部材を不透明材料で構成したから、いたずらに透光することがないと共に、上下の扉部材間に隙間を設けて連結部材により連結した上で、連結部材を透明または半透明材料で構成したから、ペットは、該連結部材を介して前方の明かりを見ることができ、不安感が払拭されるようになる。
【００２５】
【考案の実施の形態】
以下、本考案の実施の形態について説明する。
【００２６】
図１に示すように、室内扉１の本体１ａ下部に矩形状の開口部１ａ′が設けられ、該開口部１ａ′に、本考案に係るペット用扉２が装着されている。
【００２７】
図２及び図３に示すように、このペット用扉２は、室内扉本体１ａの下部開口部１ａ′に配設される外枠１０と、下部開口部１ａ′を略閉塞する寸法とされると共に、上辺部が外枠１０の上部に枢支されてペットの出入り方向ａ，ａ′に揺動自在に支持された扉本体２０とを有している。
【００２８】
外枠１０は、スチール製の上下左右枠１１〜１４により、フレーム状に構成されている。この外枠１０は扉本体２０と協働して、ペットが出入りできるだけの比較的小さなクリアランスを有する通路を提供する。
【００２９】
本考案の特徴部分である扉本体２０は、上下方向の寸法が略均等になるように３つに分割されてなる扉部材２１〜２３と、各扉部材２１〜２３の各対向辺部において上下の扉部材２１〜２３を屈伸自在に連結する都合２つの連結部材２４，２４とで構成されている。その場合、連結部材２４，２４は、上下の扉部材２１〜２３を所定の隙間を設けて連結している。
【００３０】
硬質樹脂製の扉部材２１〜２３は、正面視左右方向に貫通する空洞部２１ａ，２２ａ，２２ａ，２３ａ，２３ａを有しており、生産性に優れる長尺押出成形により成形されたのち、適宜寸法に切断されて得られる。最上方の扉部材２１は、空洞部２１ａと、下辺部近傍の傾斜部２１ｂと、概ね傾斜部２１ｂに設けられ、空洞部２１ａに連通すると共に下方に臨んで開口するスリット２１ｃとを有している。中央及び最下方の扉部材２２，２３は略同形状とされ、上下一対の空洞部２２ａ，２２ａ，２３ａ，２３ａと、上下辺部近傍の傾斜部２２ｂ，２２ｂ，２３ｂ，２３ｂと、上方あるいは下方に臨んで開口する一対のスリット２２ｃ，２２ｃ，２３ｃ，２３ｃとを有している。
【００３１】
柔軟な軟質樹脂製のシート部材でなる連結部材２４，２４は、断面視上下が円形状に膨出した略アレー状とされ、同じく生産性に優れる長尺押出成形により成形されたのち、適宜寸法に切断されて得られる。そして、最上方の扉部材２１と中央の扉部材２２とは、互いに対向する空洞部２１ａ，２２ａとスリット２１ｃ，２２ｃとに連結部材２４を挿入することにより連結される。同様に、中央の扉部材２２と最下方の扉部材２３とは、互いに対向する空洞部２２ａ，２３ａとスリット２２ｃ，２３ｃとに連結部材２４を挿入することにより連結される。
【００３２】
最上方の扉部材２４の上辺部両端に、左右枠１３，１４の上部に設けられた孔部に嵌合するピボットヒンジ２５，２５が設けられている。つまり、扉本体２０は、上辺部が室内扉本体１ａの下部開口部１ａ′の上縁に枢支されて、ピボットヒンジ２５，２５を中心に矢印ｇ，ｇ′方向に揺動自在とされる。
【００３３】
扉本体２０の下部中央近傍に、扉本体２０を外枠１０に固定するためのロック機構２６が設けられている。このロック機構２６は、最下方の扉部材２３を厚み方向に貫通すると共に矢印ｈ方向に回動自在に設けられた軸２６ａと、該軸２６ａの両端部にそれぞれ固設されたレバー２６ｂ，２６ｂと、該軸２６ａに固設されて扉部材２３の空洞部２３ａに内蔵された爪部材２６ｃと、下枠１２の上面を一部切り欠いて形成した係合部１２ａとで構成されている。これにより、いずれかのレバー２６ｂを矢印ｈ方向に操作すると、軸２６ａに固設された爪部材２６ｃが回動し、該爪部材２６ｃの先端部が下枠１２の切り欠き箇所から突入して係合部１２ａで係止されることにより、扉本体２０は外枠１０に固定されることになる。
【００３４】
最下方の扉部材２３の下辺部に、左右一対の磁石２７，２７が組み付けられている。これにより、磁石２７，２７とスチール製の下枠１２との間に吸引力が作用することになる。なお、外枠１０つまり下枠１２がスチール製でなく、例えばアルミニウムのような非磁性材料でなる場合には、下枠１２側に磁石２７，２７を組み付ける一方、扉部材２３側にスチール製の適宜部材を備えればよい。
【００３５】
そして、このペット用扉２を室内扉本体１ａの下部開口部１ａ′に装着する場合、ガラス板等に対して周知の嵌め込み構造が適用される。すなわち、図３に示すように、上下左右枠（図３には上下枠１１，１２を示す）１１〜１４をそれぞれ一対の押え部材２８，２８で挟持することにより、ペット用扉２を室内扉本体１ａの下部開口部１ａ′に配設する。なお、室内扉本体１ａへのペット用扉２の固定は、例えば釘、接着剤、接着テープ等の適宜手段を用いて行われる。
【００３６】
ここで、本実施の形態に係るペット用扉２の特徴について説明する。なお、この特徴を明快に示すため、後述する図４及び図５では、室内扉本体１ａ、外枠１０等の記載を省略すると共に、扉本体２０について主体的に記載している。
【００３７】
まず、図４に示すように、小型犬のようなペットＰは、頭部で扉本体２０の比較的上部、この場合には最上方の扉部材２１の下部もしくは中央の扉部材２２の上部近傍を押圧して矢印ａ方向に進入する。このとき、二点鎖線で示すように、扉部材２１は上部のピボットヒンジ２５，２５を中心に矢印ｇ方向に揺動すると共に中央及び最下方の扉部材２２，２３が例えば図例のようにそれぞれ上方の扉部材２１，２２に対して折れ曲がるように移動する。
【００３８】
すなわち、扉本体２０を、３つの扉部材２１〜２３を軟質材料でなる連結部材２４，２４で連結して多関節構造としたことにより扉部材２２，２３の移動の自由度が増し、ペットＰの出入り動作に対して扉本体２０は容易に変形して追従性が良好となり、ペットＰの出入りがスムーズになる。
【００３９】
また、正面視でペット用扉２の大半を占めることになる扉部材２１〜２３が硬質材料でなるから、室内扉１もしくは室内扉本体１ａの持つ材質感と良好に調和し、人間に違和感を与えることがないというメリットがある。
【００４０】
そして、図５に示すように、ペットＰが進入途中で矢印ａ′方向に後ずさりするときには、ペットＰの後頭部による押圧によって、最上方の扉本体２１が上部のピボットヒンジ２５，２５を中心に矢印ｇ′方向に揺動する。さらにペットＰが後ずさりすると、二点鎖線で示すように、例えば最上方の扉本体２１の揺動が規制されて終結し、次いで中央の扉本体２２が矢印ｇ″方向に揺動する段階に移行する。
【００４１】
このような場合でも、一点鎖線で示す揺動軌跡ｇ′，ｇ″は、前述した図１１及び図１３に示す１枚の扉本体Ｂまたは扉本体Ｅが２つの扉部材Ｅ１，Ｅ２で構成された従来のペット用扉Ａ，Ｄにおける揺動軌跡ｂ′，ｄ′に比較して小さくなり、かつ、３つの扉部材２１〜２３が死点状態となる確率が例えば従来の扉本体Ｅを２つに分割した場合に比較して低くなり、かつ、３つの扉部材２１〜２３を２つの連結部材２４，２４で連結したことにより、つまり関節を２つにしたことにより特に中央及び最下方の扉部材２２，２３の移動の自由度が大きくなるため、ペットＰが進入途中に後ずさりしようとする場合において、扉部材２３の下辺部がペットＰの背部を圧迫することが効果的に回避されるようになる。したがって、ペットＰを扉本体２０と床との間に挟み込むことがなくなり、ペットＰに不快感や苦痛を与えることはない。
【００４２】
ところで、扉本体２０をいたずらに３分割するだけでは、従来の問題を解決することができない場合がある。つまり、扉本体を上下方向に略均等に３分割しない場合、上下方向の寸法が他の扉部材に比較して大きい扉部材が生じることになる。その場合、図５から推測されるように、ペットＰが後ずさりすると、当該扉部材の大きな揺動軌跡と後ずさりするペットＰの背部とが重なることがあり、扉部材の下辺部がペットＰの背部を圧迫するようになる。
【００４３】
それに対し、本実施の形態では、各扉部材２１〜２３が略均等な寸法とされているから、各扉部材２１〜２３はスムーズに変形して、ペットＰの出入り動作に対する扉本体２０の追従性がより良好となるだけでなく、各扉部材２１〜２３の上下方向の寸法を比較的小さく収めることができ、上記懸念が解消される。その場合、扉部材２１〜２３の上下方向の寸法を、概ねペットＰの背部と外枠１０の上枠１１との間のクリアランスより小さく設定すると、本考案は効果的となる。
【００４４】
なお、ペットＰの出入りを規制する場合には、ロック機構２６を利用すればよい。つまり、いずれかのレバー２６ｂを矢印ｈ方向に回動させて、爪部材２６ｃを下枠１２の係合部１２ａに係止させることにより、扉本体２０は外枠１０に固定されるようになる。
【００４５】
そして、扉本体２０が、上記ロック機構２６により外枠１０に固定されていない状態では、最下方の扉本体２３に備えられた磁石２７，２７とスチール製の下枠１２との間に作用する吸引力により、ペットＰの出入り時の扉本体２０のばたつきが速やかに終息するようになる。
【００４６】
次に、扉本体の構成の変形例について説明する。
【００４７】
まず、図６に示す扉本体３０は、左右一対で１つの扉部材３１を構成する硬質樹脂でなる扉部材３１ａ，３１ａを、上下方向に適宜間隔を置いて軟質樹脂でなる１枚のシート状の連結部材３４に接着剤あるいは接着テープを用いて貼着したものである。これにより、比較的簡便に扉本体３０が得られる。
【００４８】
次に、図７に示す扉本体４０は、硬質樹脂でなる３つの扉部材４１…４１を軟質樹脂でなる１枚のシート状の連結部材４４の一方の面に接着剤あるいは接着テープを用いて貼着したものである。これにより、一層簡便に扉本体４０が得られる。
【００４９】
また、図８に示す扉本体５０のように、３つの扉部材５１…５１を、上記図７に示した連結部材４４に比較して幅の狭い２つの連結部材５４，５４で連結してもよい。これにより、連結部材５４，５４の使用量が低減され、一層軽量かつ安価なペット用扉が実現される。
【００５０】
また、図９に示す扉本体６０は、硬質樹脂でなる３つの扉部材６１〜６３と軟質樹脂でなる２つの連結部材６４，６４とが、二層押出成形により一体に成形されて得られたものである。これにより、扉本体６０の生産効率が向上するから、安価なペット用扉が実現される。なお、軽量化を図るため、各扉部材６１〜６３に空洞部を設けてもよい。
【００５１】
そして、図１１に示す扉本体７０は、図３に示した扉本体２０に類似の構造とされており、特に、扉部材７１〜７３を不透明材料で構成すると共に、連結部材７４，７４を透明材料で構成している。
【００５２】
例えばペット用扉２を室内扉１に装着する場合、人間にとり、ペット用扉２はいたずらに透光することのない構成である方が好ましいことがある。一方、ペットＰ側から見ると、ペット用扉２に臨んで前方に何ら明かりが見えない構成は不安である。
【００５３】
それに対し、この扉本体７０では、扉本体７０の大半を占めることになる扉部材７１〜７３を不透明部材で構成したから、いたずらに透光することがないと共に、上下の扉部材７１〜７３間に隙間を設けて連結部材７４，７４により連結した上で、連結部材７４，７４を透明材料で構成したから、ペットＰは、該連結部材７４，７４を介して前方の明かりを見ることができ、不安感が払拭されるようになる。その場合、連結部材７４，７４を透明材料で構成したが、半透明材料で構成してもよい。
【００５４】
また、扉本体７０の上下方向の寸法にもよるが、上下の隣接し合う扉部材７１〜７３間の隙間寸法ｗは、概ね３〜１５ｍｍ程度とされる。３ｍｍ以下では、前方の明かりや情景が見えにくく、一方、１５ｍｍ以上では、光を通しすぎたり、あるいは軟質材料でなる部位が増加してデザイン性が損なわれたりする。
【００５５】
なお、上記実施の形態で説明したペット用扉２は一例であって、本考案はこれに限定されるものではなく、前述した請求項に記載の範囲に含まれるものであればよい。
【００５６】
例えば、上記実施の形態では、扉本体２０，３０，４０，５０，６０，７０は３分割されていたが、４分割してもよい。ペットＰの大きさや室内扉１のデザイン性等を考慮しながら、分割数を設定すればよい。
【００５７】
また、上記実施の形態では、扉部材２１〜２３，３１，４１，５１，６１〜６３，７１〜７３に硬質樹脂を用いたが、半硬質樹脂や木材等を用いてもよい。一方、連結部材２４，３４，４４，５４，６４，７４に軟質樹脂を用いたが、合成紙あるいは強化紙等の紙を用いてもよい。
【００５８】
また、上記実施の形態に係る扉部材２１〜２３，３１，４１，５１，６１〜６３，７１〜７３の表面を、化粧シートで覆ってもよい。これにより、多様なデザインの扉本体２０，３０，４０，５０，６０，７０の提供が可能となり、多様な要求に容易に応じることができるようになる。
【００５９】
また、上記実施の形態では、外枠１０を上下左右枠１１〜１４で構成したが、下枠１２を省略すると共に、室内扉本体１ａの下側縁部を一部切り欠いて、バリアフリータイプのペット用扉とすることができる。
【００６０】
そして、上記実施の形態では、本考案を室内扉１に適用したが、例えば引き戸や網戸等にも適用することができ、その場合にも、前述したと同様の作用が得られる。
【００６１】
【考案の効果】
以上説明したように、本考案によれば、ペットの出入りを自在にすると共に、後ずさり時においても、ペットに挟み込むことによる不快感や苦痛を与えることのないペット用扉の提供が提供される。本発明は、建具等に備えられてペットが出入り自在なペット用扉に関し、建具等の製造技術の分野に広く好適である。
【図面の簡単な説明】
【図１】本考案の実施の形態に係るペット用扉が備えられた室内扉の正面図である。
【図２】ペット用扉の正面図である。
【図３】図２のＩＩ−ＩＩ線による断面図である。
【図４】ペットが進入するときの扉本体の動作を説明するための模式的な図である。
【図５】ペットが後ずさりするときの扉本体の動作を説明するための模式的な図である。
【図６】扉本体の変形例を示す概略断面図である。
【図７】同じく、扉本体の変形例を示す概略断面図である。
【図８】同じく、扉本体の変形例を示す概略断面図である。
【図９】同じく、扉本体の変形例を示す概略断面図である。
【図１０】同じく、扉本体の変形例を示す概略断面図である。
【図１１】従来のペット用扉における問題を説明するための模式的な図である。
【図１２】従来の別なるペット用扉において、ペットが進入するときの扉本体の動作を説明する模式的な図である。
【図１３】同じく、ペットが後ずさりするときの扉本体の動作を示し、その場合の問題を説明するための模式的な図である。
【符号の説明】
１　　　　室内扉（建具）
１ａ′　　開口部
２　　　　ペット用扉
２０，３０，４０，５０，６０，７０　　扉本体
２１〜２３，３１，４１，５１，６１〜６３，７１〜７３　　扉部材
２４，３４，４４，５４，６４，７４　　連結部材
Ｐ　　　　ペット
【図１】
0003098249.tif 000003
【図２】
0003098249.tif 000004
【図３】
0003098249.tif 000005
【図４】
0003098249.tif 000006
【図５】
0003098249.tif 000007
【図６】
0003098249.tif 000008
【図７】
0003098249.tif 000009
【図８】
0003098249.tif 000010
【図９】
0003098249.tif 000011
【図１０】
0003098249.tif 000012
【図１１】
0003098249.tif 000013
【図１２】
0003098249.tif 000014
【図１３】
0003098249.tif 000015